(57)【特許請求の範囲】
【請求項１】
車内に取り付けられるカーナビゲーション装置のモニタ周囲を装飾するカーナビゲーション装置用パネルであって、
音声を入力するマイクが取り付けられるマイク取り付け孔部と、
音声や映像等のデータをコードにより入力または出力するデータ入出力端子が取付けられるデータ入出力端子取り付け孔部と、を有し、
前記マイク取り付け孔部は、
前記データ入出力端子取り付け孔部に接続した前記データ入出力端子から外部機器までコードが延びぶら下り状態にあるとしても、そのコードが前記マイクの音声入力部を覆わないように前記データ入出力端子取り付け孔部よりも上方に形成されている、
ことを特徴とするカーナビゲーション装置用パネル。
【請求項２】
請求項１記載のカーナビゲーション装置用パネルにおいて、
前記マイク取り付け孔部の裏面側には、
前記マイクを左右両側から挟んで押さえる一対の挟み押さえ部が形成されていると共に、
前記一対の挟み押さえ部の間には、前記マイクの取り付け軸を避けるための所定の間隔が形成されている、
ことを特徴とするカーナビゲーション装置用パネル。
【請求項３】
請求項１または請求項２に記載のカーナビゲーション装置用パネルにおいて、
前記データ入出力端子取り付け孔部には、
複数のデータ入出力端子毎に仕切り壁により区分けされた端子格納室を有する端子ホルダーを介して前記複数のデータ入出力端子が取り付けられる、
ことを特徴とするカーナビゲーション装置用パネル。
【請求項４】
請求項３記載のカーナビゲーション装置用パネルにおいて、
前記データ入出力端子取り付け孔部には、
音声信号または映像信号入出力用の円形状のピン端子が納まるピン端子用円形状孔部と、
短辺と長片とを有する長方形状のＵＳＢ端子が納まるＵＳＢ端子用長方形状孔部と、を有し、
前記円形状孔部と、前記長方形状孔部の短辺とを隣接させて、前記データ入出力端子取り付け孔部の形状が長手方向に縦長または横長になり、
前記データ入出力端子取り付け孔部の形状の長手方向の両端部にそれぞれネジにより取り付けるための取り付け片が設けられている、
ことを特徴とするカーナビゲーション装置用パネル。
【請求項５】
請求項３記載のカーナビゲーション装置用パネルにおいて、
前記データ入出力端子取り付け孔部には、
音声信号または映像信号入出力用の円形状のピン端子が納まるピン端子用円形状孔部と、
短辺と長片とを有する長方形状のＵＳＢ端子が納まるＵＳＢ端子用長方形状孔部と、を有し、
前記円形状孔部と、前記長方形状孔部の長辺とを隣接させて、前記データ入出力端子取り付け孔部の形状が長手方向に縦長または横長になり、
前記データ入出力端子取り付け孔部の形状の長手方向の両端部にそれぞれネジにより取り付けるための取り付け片が設けられている、
ことを特徴とするカーナビゲーション装置用パネル。
【発明の詳細な説明】
【技術分野】
【０００１】
本発明は、カーナビゲーション装置用パネルに関し、特に、車内に取り付けられるカーナビゲーション装置のモニタ周囲を装飾するカーナビゲーション装置用パネルに関する。
【背景技術】
【０００２】
カーナビゲーション装置自体に、マイクやカメラが備え付けられたものがある（例えば、特許文献１参照。）。
【先行技術文献】
【特許文献】
【０００３】
【特許文献１】特開２００２−７１３５６号公報
【発明の概要】
【発明が解決しようとする課題】
【０００４】
しかし、カーナビゲーション装置自体にマイク等が備え付けられていない場合には、車室社室内のサンバイザーにマイクを取り付けたり、運転者がヘッドセット式のマイクを使用したりする必要があり、不便である、という問題がある。
【０００５】
また、最近は、カーナビゲーション装置のＡＵＸ端子や、映像信号入力端子、ＵＳＢ端子等のデータ入出力端子に、携帯電話や、パーソナルオーディオプレーヤーや、パーソナルメディアプレーヤー、さらにはメモリカード等を接続して、音楽や映像をカーナビゲーション装置のモニタやスピーカ等を通じて視聴することが行われているが、その際、その配線等がマイクの上に覆い被さり、マイクによる音声入力の邪魔になる、という問題がある。
【０００６】
特に、運転席周りにマイクやデータ入出力端子の複数の配線が露出すると、運転操作の邪魔になると共に、美環の点でも問題が生じる。
【０００７】
そこで、本発明は、カーナビゲーション装置自体にマイク等が備え付けられていない場合でも、運転席周りにマイクやデータ入出力端子の配線が露出しないように、または簡単にマイクおよびデータ入出力端子を設けることができる、カーナビゲーション装置用パネルを提供することを目的とする。
【課題を解決するための手段】
【０００８】
前記課題を解決するため、本発明のカーナビゲーション装置用パネルは、車内に取り付けられるカーナビゲーション装置のモニタ周囲を装飾するカーナビゲーション装置用パネルであって、音声を入力するマイクが取り付けられるマイク取り付け孔部と、音声や映像等のデータをコードにより入力または出力するデータ入出力端子が取付けられるデータ入出力端子取り付け孔部と、を有し、前記マイク取り付け孔部は、前記データ入出力端子取り付け孔部に接続した前記データ入出力端子から外部機器までコードが延びぶら下り状態にあるとしても、そのコードが前記マイクの音声入力部を覆わないように前記データ入出力端子取り付け孔部よりも上方に形成されている、を有することを特徴とするカーナビゲーション装置用パネルである。このようにすると、カーナビゲーション装置自体にマイク等が備え付けられていない場合でも、運転席周りにマイクやデータ入出力端子の配線が露出しないようにしてマイクおよびデータ入出力端子を設けることができ、美観性も向上すると共に、データ入出力端子取り付け孔部に接続したデータ入出力端子から携帯電話や、パーソナルオーディオプレーヤーや、パーソナルメディアプレーヤー等の外部機器までコード等が延び、ぶら下り状態にあるとしても、マイク取り付け孔部はデータ入出力端子取り付け孔部の上方に設けられているので、そのコード等がマイクの音声入力部を覆うことはなくなる。
また、前記マイク取り付け孔部の裏面側には、前記マイクを左右両側から挟んで押さえる一対の挟み押さえ部が形成されていると共に、前記一対の挟み押さえ部の間には、前記マイクの取り付け軸を避けるための所定の間隔が形成されている、ようにしても良い。このようにすると、確実かつ簡単にマイクを固定することができる。
また、前記データ入出力端子取り付け孔部には、複数のデータ入出力端子毎に仕切り壁により区分けされた端子格納室を有する端子ホルダーを介して前記複数のデータ入出力端子が取り付けられる、ようにしても良い。このようにすると、複数のデータ入出力端子を簡単かつ確実にカーナビゲーション装置用パネルに取り付けることができる。
また、前記データ入出力端子取り付け孔部には、音声信号または映像信号入出力用の円形状のピン端子が納まるピン端子用円形状孔部と、短辺と長片とを有する長方形状のＵＳＢ端子が納まるＵＳＢ端子用長方形状孔部と、を有し、前記円形状孔部と前記長方形状孔部の短辺とを隣接させて、前記データ入出力端子取り付け孔部の形状が長手方向に縦長または横長になり、前記データ入出力端子取り付け孔部の形状の長手方向の両端部にそれぞれネジにより取り付けるための取り付け片が設けられている、ようにしても良い。このようにすると、マイク取り付け孔部とデータ入出力端子取り付け孔部のピン端子用円形状孔部およびＵＳＢ端子用長方形状孔部とが、最も細い幅で並ぶことになり、幅の狭い箇所にピン端子とＵＳＢ端子とを取り付ける場合に有効である。
また、前記データ入出力端子取り付け孔部には、音声信号または映像信号入出力用の円形状のピン端子が納まるピン端子用円形状孔部と、短辺と長片とを有する長方形状のＵＳＢ端子が納まるＵＳＢ端子用長方形状孔部と、を有し、前記円形状孔部と前記長方形状孔部の長辺とを隣接させ、前記データ入出力端子取り付け孔部の短手方向であってピン端子用円形状孔部の両側にそれぞれネジにより取り付けるための取り付け片が設けられている、ようにしても良い。このようにすると、データ入出力端子取り付け孔部の円形状孔部および長方形状孔部とが、最も短い長さで並び、取り付け片も短手方向に設けられるので、長さの短い箇所にピン端子とＵＳＢ端子とを取り付ける場合に有効である。
【発明の効果】
【０００９】
本発明のカーナビゲーション装置用パネルには、マイク取り付け孔部と、データ入出力端子取り付け孔部とが設けられているので、カーナビゲーション装置自体にマイク等が備え付けられていない場合でも、運転席周りにマイクやデータ入出力端子の配線が露出しないようにしてマイクおよびデータ入出力端子を設けることができ、美観性も向上する。また、マイク取り付け孔部は、データ入出力端子が取付けられるデータ入出力端子取り付け孔部よりも上方に形成されているので、データ入出力端子取り付け孔部に接続したデータ入出力端子から携帯電話や、パーソナルオーディオプレーヤーや、パーソナルメディアプレーヤー等の外部機器までコード等が延び、ぶら下り状態にあるとしても、マイク取り付け孔部はデータ入出力端子取り付け孔部の上方に設けられているので、そのコード等がマイクの音声入力部を覆うことはなくなる。
【図面の簡単な説明】
【００１０】
【図１】実施の形態１のカーナビゲーション装置用パネルの設置例を示す図である。
【図２】実施の形態１のカーナビゲーション装置用パネルの斜視図である。
【図３】（ａ），（ｂ）は、それぞれ、実施の形態１のカーナビゲーション装置用パネルの正面図、底面図である。
【図４】（ａ），（ｂ）は、それぞれ、実施の形態１のカーナビゲーション装置用パネルの右側面図、背面図である。
【図５】（ａ），（ｂ）は、それぞれ、実施の形態１のカーナビゲーション装置用パネルのマイク取り付け孔部１２に取り付けられるマイクの外観例を示す斜視図と、取付け状態をパネル裏側から示す裏面図である。
【図６】（ａ）〜（ｃ）は、それぞれ、実施の形態１のカーナビゲーション装置用パネルのデータ入出力端子取り付け孔部に取り付けられるデータ入出力端子の一例を示す斜視図である。
【図７】（ａ），（ｂ）は、それぞれ、図６に示す実施の形態１の端子ホルダーの左側面部の外側、内側の一例を示す斜視図である。
【図８】（ａ），（ｂ）は、それぞれ、図６に示す実施の形態１の端子ホルダー５３の右側面部の外側、内側の一例を示す斜視図である。
【図９】参考例のカーナビゲーション装置用パネルの斜視図である。
【図１０】（ａ），（ｂ）は、それぞれ、参考例のカーナビゲーション装置用パネルの正面図、裏面図である。
【図１１】（ａ）〜（ｃ）は、それぞれ、参考例のカーナビゲーション装置用パネルのデータ入出力端子取り付け孔部に取り付けられるデータ入出力端子の一例を示す斜視図である。
【図１２】（ａ），（ｂ）は、それぞれ、図１１に示す実施の形態１の端子ホルダーの左側面部の外側、内側の一例を示す斜視図である。
【図１３】（ａ），（ｂ）は、それぞれ、図６に示す実施の形態１の端子ホルダーの右側面部の外側、内側の一例を示す斜視図である。
【発明を実施するための形態】
【００１１】
実施の形態１．
次に、本発明のカーナビゲーション装置用パネルの実施の形態について、図面を参照して説明する。
【００１２】
図１は、実施の形態１のカーナビゲーション装置用パネル１の設置例を示す図である。
【００１３】
図1に示すように、実施の形態１のカーナビゲーション装置用パネル１は、車内に取り付けられるカーナビゲーション装置２のモニタ２１周囲を装飾するため、車両３の前席前方のダッシュボード３１等に設けられるものである。
【００１４】
図２は、実施の形態１のカーナビゲーション装置用パネル１の斜視図、図３（ａ），（ｂ）は、それぞれ、実施の形態１のカーナビゲーション装置用パネル１の正面図、底面図、図４（ａ），（ｂ）は、それぞれ、実施の形態１のカーナビゲーション装置用パネル１の右側面図、背面図である。
【００１５】
図２〜図４に示すように、実施の形態１の車両カーナビゲーション装置用パネル１は、カーナビゲーション装置２のモニタ２１を露出させるためのナビゲーション装置用開口部１１と、音声を入力するマイク４が取り付けられるマイク取り付け孔部１２と、音声や映像等のデータを入力または出力するデータ入出力端子５が取付けられるデータ入出力端子取り付け孔部１３と、を有する。そのため、本実施の形態１の車両カーナビゲーション装置用パネル１によれば、カーナビゲーション装置１自体にマイク等が備え付けられていない場合でも、車両カーナビゲーション装置用パネル１に設けられたマイク取り付け孔部１２やデータ入出力端子取り付け孔部１３を使用することが可能となり、運転席周りにマイク４やデータ入出力端子５の配線が露出しないように、簡単にマイク４およびデータ入出力端子５を装着することが可能となる。
【００１６】
また、図２〜図４に示すように、実施の形態１の車両カーナビゲーション装置用パネル１では、マイク取り付け孔部１２は、データ入出力端子取り付け孔部１３よりも上方に形成されている。そのため、本実施の形態１の車両カーナビゲーション装置用パネル１によれば、このようにすると、データ入出力端子取り付け孔部１３に接続したデータ入出力端子３から携帯電話や、パーソナルオーディオプレーヤーや、パーソナルメディアプレーヤー等の外部機器までコード等が延び、ぶら下り状態にあるとしても、マイク取り付け孔部１２はデータ入出力端子取り付け孔部１３の上方に設けられているので、そのコード等がマイク４の音声入力部を覆うことがなくなり、マイク４の音声入力に支障を与えることを防止することができる。
【００１７】
ここで、本実施の形態１のカーナビゲーション装置用パネル１では、図２〜図４に示すように、データ入出力端子取り付け孔部１３には、２つのデータ入出力端子、例えば、ＡＵＸ端子等のピン端子と、ＵＳＢ端子とが取り付けられるように、ピン端子用円形状孔部１３ａと、ＵＳＢ端子用長方形状孔部１３ｂとが形成されている。なお、本実施の形態１では、データ入出力端子取り付け孔部１３には、２つのデータ入出力端子を設けて説明するが、本発明では、これに限らず、３つ以上のデータ入出力端子でも、１つのデータ入出力端子のみを設ける場合でも勿論よい。また、本実施の形態１では、ＡＵＸ端子等のピン端子と、ＵＳＢ端子の２つのデータ入出力端子を設けるように説明したが、本発明では、これに限らず、Ｓ端子や、Ｄ端子、ＨＤＭＩ入力端子等のデータ入出力端子を設けるようにしても勿論よい。
【００１８】
また、図４（ｂ）に示すように、本実施の形態１のカーナビゲーション装置用パネル１において、マイク取り付け孔部１２の裏面側には、マイク４を左右両側から挟んで押さえる一対の挟み押さえ部１２１Ｒ，１２１Ｌが形成されている。
【００１９】
図５（ａ），（ｂ）は、それぞれ、実施の形態１のカーナビゲーション装置用パネル１のマイク取り付け孔部１２に取り付けられるマイク４の外観例を示す斜視図と、取付け状態をパネル裏側から示す裏面図である。
【００２０】
図５（ａ），（ｂ）に示すように、実施の形態１のカーナビゲーション装置用パネル１では、マイク４には、クリップ４２等に取り付けるための取り付け軸４１が設けられており、このカーナビゲーション装置用パネル１のマイク取り付け孔部１２に取り付ける場合には、クリップ４２から取外して、一対の挟み押さえ部１２１Ｒ，１２１Ｌ間の所定の隙間、すなわちマイク４の取り付け軸４１の径より大きい隙間にマイク４の取り付け軸４１が嵌まるように取り付ける。このようにすると、従来のクリップ取り付けタイプのマイク４を、実施の形態１のカーナビゲーション装置用パネル１のマイク取り付け孔部１２に簡単かつ確実に取り付けることができる。なお、図５（ｂ）に示すように、この一対の挟み押さえ部１２１Ｒ，１２１Ｌには、それぞれ、内側から外側に窪む凹部１２１Ｒ１，１２１Ｌ１が形成されており、一対の挟み押さえ部１２１Ｒ，１２１Ｌの強度を向上させている。
【００２１】
図６（ａ）〜（ｃ）は、それぞれ、実施の形態１のカーナビゲーション装置用パネル１のデータ入出力端子取り付け孔部１３に取り付けられるデータ入出力端子５の一例を示す斜視図であり、図６（ａ）は、端子ホルダー５３にＵＳＢ端子５１およびピン端子５２を装着した状態、図６（ｂ），（ｃ）は、端子ホルダー５３にＵＳＢ端子５１およびピン端子５２を装着していない状態を示している。
【００２２】
つまり、実施の形態１のカーナビゲーション装置用パネル１のデータ入出力端子取り付け孔部１３には、上述の図２〜図４に示すように、音声信号または映像信号入出力用の円形状のＡＵＸ端子等のピン端子５２が納まるピン端子用円形状孔部１３ａと、短辺と長片とを有する長方形状のＵＳＢ端子５１が納まるＵＳＢ端子用長方形状孔部１３ｂの短辺とを隣接させてデータ入出力端子取り付け孔部１３の形状が長手方向に縦長または横長になるように形成している。このため、実施の形態１のカーナビゲーション装置用パネル１のデータ入出力端子取り付け孔部１３によれば、幅が狭い箇所でも、データ入出力端子取り付け孔部１３周囲のパネル強度を落とすことなく、ＵＳＢ端子５１およびピン端子５２を取り付けることが可能となる。
【００２３】
その一方、端子ホルダー５３は、図６（ａ）〜（ｃ）に示すように、データ入出力端子取り付け孔部１３の形状に合わせて縦長または横長になるように形成されており、長手方向の両端部には、それぞれネジ（図示せず）により取り付けるための取り付け片５３ａ，５３ｂが設けられている。このため、この取り付け片５３ａ，５３ｂによれば、端子ホルダー５３の短手方向の幅に影響を与えないので、幅が狭い箇所でも、データ入出力端子取り付け孔部１３周囲のパネル強度を落とすことなく、ＵＳＢ端子５１およびピン端子５２を取り付けることが可能となる。
【００２４】
なお、実施の形態１の端子ホルダー５３は、次の図７および図８により説明するが、左側面部５３１および右側面部５３２からなる分割構造から構成されている。
【００２５】
図７（ａ），（ｂ）は、それぞれ、図６に示す実施の形態１の端子ホルダー５３の左側面部５３１の外側、内側の一例を示す斜視図であり、図８（ａ），（ｂ）は、それぞれ、図６に示す実施の形態１の端子ホルダー５３の右側面部５３２の外側、内側の一例を示す斜視図である。
【００２６】
実施の形態１の端子ホルダー５３では、左側面部５３１には、図７（ａ），（ｂ）に示すように、取り付け片５３ａ，５３ｂと、引っ掛け孔５３１ａ〜５３１ｄと、仕切り壁５３１ｅが設けられている一方、右側面部５３２には、図８（ａ），（ｂ）に示すように、引っ掛け爪５３２ａ〜５３２ｄと、仕切り壁５３２ｅとが設けられている。
【００２７】
そのため、本実施の形態１のカーナビゲーション装置用パネル１では、図７に示す左側面部５３１の内側と、図８に示す右側面部５３２の内側とを向かい合わせて、左側面部５３１の引っ掛け孔５３１ａ〜５３１ｄに、右側面部５３２の引っ掛け爪５３２ａ〜５３２ｄとが嵌まるように組み立てる。このようにすると、左側面部５３１の仕切り壁５３１ｅ先端と、右側面部５３２の仕切り壁５３２ｅ先端とが突き当たり、ＵＳＢ端子５１の端子格納室５３ｃと、ピン端子５２の端子格納室５３ｄとを独立して形成することができる。その結果、データ入出力端子取り付け孔部１３には、ＵＳＢ端子５１やピン端子５２等の複数のデータ入出力端子毎に仕切り壁により区分けされた独立した端子格納室５３ｃ，５３ｄを有する端子ホルダー５３を介して複数のデータ入出力端子が取り付けられるので、複数のデータ入出力端子を簡単かつ確実にカーナビゲーション装置用パネル１に取り付けること可能となる。
【００２８】
従って、実施の形態１のカーナビゲーション装置用パネル１には、カーナビゲーション装置２自体にマイク等が備え付けられていない場合でも、マイク取り付け孔部１２と、データ入出力端子取り付け孔部１３とが設けられているので、運転席周りにマイク４やデータ入出力端子５の配線が露出しないようにしてマイク４およびデータ入出力端子５を設けることができ、美観性も向上する。
【００２９】
また、実施の形態１のカーナビゲーション装置用パネル１では、マイク取り付け孔部１２は、データ入出力端子取り付け孔部１３よりも上方に形成されているので、データ入出力端子取り付け孔部１３に接続したデータ入出力端子５から携帯電話や、パーソナルオーディオプレーヤーや、パーソナルメディアプレーヤー等の外部機器までコード等が延び、ぶら下ったとしても、マイク取り付け孔部１２はデータ入出力端子取り付け孔部１３の上方に設けられているので、そのコード等がマイク４の音声入力部を覆うことがなくなり、マイク４による音声入力の邪魔になることを防止することができる。
【００３０】
また、実施の形態１のカーナビゲーション装置用パネル１では、マイク取り付け孔部１２の裏面側には、マイク４を左右両側から挟んで押さえる一対の挟み押さえ部１２１Ｌ、１２１Ｒが形成されていると共に、一対の挟み押さえ部１２１Ｌ、１２１Ｒの間には、マイクの取り付け軸４１を避けるための所定の間隔が形成されているので、取り付け軸４１を有するマイク４をそのまま確実かつ簡単に固定することができる。
【００３１】
また、実施の形態１のカーナビゲーション装置用パネル１では、データ入出力端子取り付け孔部１３には、ＵＳＢ端子５１やピン端子５２毎に仕切り壁５３１ｅ，５３２ｅにより区分けされた端子格納室５３ｃ，５３ｄを有する端子ホルダー５３を介してＵＳＢ端子５１やピン端子５２を取り付けられるので、ＵＳＢ端子５１やピン端子５２を簡単かつ確実にカーナビゲーション装置用パネル１に取り付けることができる。
【００３２】
また、実施の形態１のカーナビゲーション装置用パネル１では、データ入出力端子取り付け孔部１３には、ピン端子５２が納まるピン端子用円形状孔部１３ａと、短辺と長片とを有する長方形状のＵＳＢ端子５１が納まるＵＳＢ端子用長方形状孔部１３ｂとを有し、ピン端子用円形状孔部１３ａとＵＳＢ端子用長方形状孔部１３ｂの短辺とを隣接させて、データ入出力端子取り付け孔部１３の形状が長手方向（図３（ａ）や図４（ｂ）上、上下方向）に縦長になり、データ入出力端子取り付け孔部１３の形状の長手方向の両端部にそれぞれネジ等により取り付けるための取り付け片５３ａ、５３ｂが設けられているので、マイク取り付け孔部１２と、データ入出力端子取り付け孔部１３のピン端子用円形状孔部１３ａとＵＳＢ端子用長方形状孔部１３ｂとが、最も細い幅で並ぶことになり、幅の狭い箇所にピン端子５２とＵＳＢ端子５１とを取り付ける場合に有効となる。
【００３３】
参考例．
次に、参考例のカーナビゲーション装置用パネル１’について説明する。
【００３４】
実施の形態１のカーナビゲーション装置用パネル１’では、マイク取り付け孔部１２の取り付け位置を、データ入出力端子取り付け孔部１３の取り付け位置より高い位置に設けるように説明したが、この参考例では、マイク取り付け孔部１２の取り付け位置と、データ入出力端子取り付け孔部１３の取り付け位置とを同じ高さにしたものである。
【００３５】
図９は、参考例のカーナビゲーション装置用パネル１’の斜視図、図１０（ａ），（ｂ）は、それぞれ、参考例のカーナビゲーション装置用パネル１’の正面図、裏面図である。
【００３６】
図９および図１０に示すように、参考例のカーナビゲーション装置用パネル１’では、カーナビゲーション装置２のモニタ２１を露出させるためのナビゲーション装置用開口部１１’の下方に、マイク４が取り付けられるマイク取り付け孔部１２’と、データ入出力端子５が取付けられるデータ入出力端子取り付け孔部１３’とを、スピーカーボックス（図示せず。）や物入れボックス（図示せず。）等が挿入されるボックス用開口部１４’を介して両側に配置している。そのため、本参考例の車両カーナビゲーション装置用パネル１’によれば、実施の形態１の車両カーナビゲーション装置用パネル１と同様に、カーナビゲーション装置１’自体にマイク等が備え付けられていない場合でも、運転席周りにマイク４やデータ入出力端子５の配線が露出しないように、または簡単にマイク４およびデータ入出力端子５を設けることが可能となる。
【００３７】
図１１（ａ）〜（ｃ）は、それぞれ、参考例のカーナビゲーション装置用パネルのデータ入出力端子取り付け孔部１３’に取り付けられるデータ入出力端子５や端子ホルダー５３’の一例を示す斜視図、図１２（ａ），（ｂ）は、それぞれ、図１１に示す実施の形態１の端子ホルダー５３’の左側面部５３１’の外側、内側の一例を示す斜視図、図１３（ａ），（ｂ）は、それぞれ、図６に示す実施の形態１の端子ホルダーの右側面部５３２’の外側、内側の一例を示す斜視図で、実施の形態１の図６〜図８に対応する図である。
【００３８】
つまり、参考例のカーナビゲーション装置用パネル１’のデータ入出力端子取り付け孔部１３’には、図９、図１０に示すように、音声信号または映像信号入出力用の円形状のピン端子５２が納まるピン端子用円形状孔部１３ａ’と、短辺と長片とを有する長方形状のＵＳＢ端子５１が納まるＵＳＢ端子用長方形状孔部１３ｂ’の長辺とを隣接させてデータ入出力端子取り付け孔部１３の形状がＴ字型になるように形成している。このため、参考例のカーナビゲーション装置用パネル１’のデータ入出力端子取り付け孔部１３’によれば、長さが短い箇所でも、データ入出力端子取り付け孔部１３’周囲のパネル強度を落とすことなく、ＵＳＢ端子５１およびピン端子５２を取り付けることが可能となる。
【００３９】
その一方、端子ホルダー５３’は、図１１〜図１３に示すように、データ入出力端子取り付け孔部１３の形状に合わせてＴ字型に形成されており、短手方向の両端部には、それぞれネジ（図示せず）により取り付けるための取り付け片５３ａ’，５３ｂ’が設けられている。このため、この取り付け片５３ａ’，５３ｂ’によれば、端子ホルダー５３’の
長手方向の幅に影響を与えないので、長手方向の長さが短い箇所でも、データ入出力端子取り付け孔部１３’周囲のパネル強度を落とすことなく、ＵＳＢ端子５１およびピン端子５２を取り付けることが可能となる。
【００４０】
なお、参考例の端子ホルダー５３’は、図１２および図１３に示すように、左側面部５３１’および右側面部５３２’からなる分割構造から構成されている。
【００４１】
図１２（ａ），（ｂ）は、それぞれ、図６に示す実施の形態１の端子ホルダー５３’の左側面部５３１’の外側、内側の一例を示す斜視図であり、図１３（ａ），（ｂ）は、それぞれ、図６に示す実施の形態１の端子ホルダー５３’の右側面部５３２’の外側、内側の一例を示す斜視図である。
【００４２】
図１２および図１３に示すように、参考例の端子ホルダー５３’では、左側面部５３１’には、図７（ａ），（ｂ）に示すように、取り付け片５３ａ’，５３ｂ’と、引っ掛け孔５３１ａ’〜５３１ｄ’と、仕切り壁５３１ｅ’が設けられている一方、右側面部５３２’には、図８（ａ），（ｂ）に示すように、引っ掛け爪５３２ａ’〜５３２ｄ’と、仕切り壁５３２ｅ’とが設けられている。
【００４３】
そのため、本参考例のカーナビゲーション装置用パネル１’でも、図１２に示す左側面部５３１’の内側と、図１３に示す右側面部５３２’の内側とを向かい合わせて、左側面部５３１’の引っ掛け孔５３１ａ’〜５３１ｄ’に、右側面部５３２’の引っ掛け爪５３２ａ’〜５３２ｄ’とが嵌まるように組み立てる。このようにすると、左側面部５３１’の仕切り壁５３１ｅ’先端と、右側面部５３２’の仕切り壁５３２ｅ’先端とが突き当たり、独立したＵＳＢ端子５１の端子格納室５３ｃ’と、ピン端子５２の端子格納室５３ｄ’とを形成することができる。その結果、データ入出力端子取り付け孔部１３’には、ＵＳＢ端子５１やピン端子５２等の複数のデータ入出力端子毎に仕切り壁により区分けされた独立した端子格納室５３ｃ’，５３ｄ’を有する端子ホルダー５３’を介して複数のデータ入出力端子が取り付けられるので、複数のデータ入出力端子を簡単かつ確実にカーナビゲーション装置用パネル１’に取り付けることができる。
【００４４】
従って、本参考例のカーナビゲーション装置用パネル１’は、実施の形態１のカーナビゲーション装置用パネル１と比較すると、マイク取り付け孔部１２’の取り付け位置を、データ入出力端子取り付け孔部１３’の取り付け位置より高い位置に設けるようにした点と、データ入出力端子取り付け孔部１３’や端子ホルダー５３’の形状の点等が異なるだけであるので、それ以外は、実施の形態１のカーナビゲーション装置用パネル１と同様であるので、実施の形態１のカーナビゲーション装置用パネル１と同様の効果が得られる。
【００４５】
特に、参考例のカーナビゲーション装置用パネル１’では、データ入出力端子取り付け孔部１３’には、ピン端子５２が納まるピン端子用円形状孔部１３ａ’と、長方形状のＵＳＢ端子５１が納まるＵＳＢ端子用長方形状孔部１３ｂ’と、を有し、ピン端子用円形状孔部１３ａ’と、ＵＳＢ端子用長方形状孔部１３ｂ’の長辺とを隣接させて、実施の形態１のデータ入出力端子取り付け孔部１３よりもデータ入出力端子取り付け孔部１３’の形状が長手方向の長さが短くなるように形成すると共に、データ入出力端子取り付け孔部１３の短手方向であってピン端子用円形状孔部１３ａ’の両側にそれぞれネジ等により取り付けるための取り付け片５３ａ’，５３ｂ’を設けたので、データ入出力端子取り付け孔部１３’のピン端子用円形状孔部１３ａ’とＵＳＢ端子用長方形状孔部１３ｂ’とが最も短い長さで並ぶことになり、取り付け片５３ａ’，５３ｂ’もデータ入出力端子取り付け孔部１３’の長手方向に位置しないので、参考例のカーナビゲーション装置用パネル１’のように、長さの短い箇所にピン端子５２とＵＳＢ端子５１とを取り付ける場合に有効となる。
【符号の説明】
【００４６】
１，１’  カーナビゲーション装置用パネル
１１，１１’  ナビゲーション装置用開口部
１２，１２’  マイク取り付け孔部
１３，１３’  データ入出力端子取り付け孔部
１３ａ，１３ａ’  ピン端子用円形状孔部
１３ｂ，１３ｂ’  ＵＳＢ端子用長方形状孔部
２  カーナビゲーション装置
３  車両
４  マイク
５  データ入出力端子
５１  ＵＳＢ端子
５２  ピン端子
５３，５３’  端子ホルダー
【図１】
0005766498.tif 000002
【図２】
0005766498.tif 000003
【図３】
0005766498.tif 000004
【図４】
0005766498.tif 000005
【図５】
0005766498.tif 000006
【図６】
0005766498.tif 000007
【図７】
0005766498.tif 000008
【図８】
0005766498.tif 000009
【図９】
0005766498.tif 000010
【図１０】
0005766498.tif 000011
【図１１】
0005766498.tif 000012
【図１２】
0005766498.tif 000013
【図１３】
0005766498.tif 000014